(57)【要約】【課題】遊具設置後の一貫した管理体制を確立することの可能な遊具管理装置を提供する。【解決手段】電子タグ５Ａの付された各種遊具５に関する遊具管理情報８０を遊具５ごとに記憶する遊具データベース１１Ｂと、遊具管理プログラム１１Ａを実行することにより遊具データベース１１Ｂに記憶された遊具管理情報８０に基づいて作業指示情報９０を生成する制御部１０と、制御部１０が生成した作業指示情報９０を、電子タグ５Ａへのアクセスが可能な端末装置４へ送信する通信部１２とを備える。【選択図】図２
2009116571.tif 000002
【特許請求の範囲】
【請求項１】
記憶媒体の付された各種遊具に関する遊具管理情報を前記遊具ごとに記憶するデータベースと、
前記データベースに記憶された遊具管理情報に基づいて作業指示情報を生成する作業指示情報生成手段と、
前記作業指示情報生成手段が生成した作業指示情報を、前記記憶媒体へのアクセスが可能な端末装置へ送信する送信手段と
を備えたことを特徴とする遊具管理装置。
【請求項２】
前記遊具管理情報は、識別子と、遊具の種類、設置場所、設置日、診断日、診断項目および診断結果を示す情報とを含む
ことを特徴とする請求項１に記載の遊具管理装置。
【請求項３】
前記作業指示情報は、前記遊具の種類、設置場所、設置日および診断結果を示す情報に基づいて生成される
ことを特徴とする請求項２に記載の遊具管理装置。
【請求項４】
前記作業指示情報は、通常作業指示情報および特別作業指示情報を含む
ことを特徴とする請求項２に記載の遊具管理装置。
【請求項５】
前記診断結果は、振動による非破壊検査によって得られた情報を含む
ことを特徴とする請求項２に記載の遊具管理装置。
【請求項６】
前記作業指示情報に基づいて更新された診断結果を示す情報を前記端末装置から受信する受信手段と、
前記受信手段が受信した診断結果を示す情報と、その診断結果を示す情報に対応する遊具の種類、設置場所および設置日とに基づいて危険度を判定する危険判定手段と
を備え、
前記作業指示情報生成手段は、前記危険判定手段によって判定された危険度の高さに応じた作業指示情報を生成し、
前記送信手段は、前記作業指示情報生成手段が生成した作業指示情報を、前記端末装置へ送信する
ことを特徴とする請求項２に記載の遊具管理装置。
【請求項７】
前記記憶媒体は、当該記憶媒体の付された遊具に関する遊具管理情報を記憶する電子タグおよび当該記憶媒体の付された遊具に関する遊具管理情報の保管場所を示す情報を記憶する２次元コードの少なくとも一方である
ことを特徴とする請求項１に記載の遊具管理装置。
【請求項８】
記憶媒体の付された各種遊具に関する遊具管理情報を前記遊具ごとにデータベースに記憶させるステップと、
前記データベースに記憶された遊具管理情報に基づいて作業指示情報を生成するステップと、
その生成された作業指示情報を、前記記憶媒体へのアクセスが可能な端末装置へ送信するステップと
をコンピュータに実行させることを特徴とする遊具管理プログラム。
【請求項９】
記憶媒体の付された各種遊具に関する遊具管理情報を格納するためのデータベースを有する遊具管理装置と、前記各種遊具にそれぞれ付された記憶媒体へのアクセスが可能な端末装置とを用意し、
前記遊具管理装置において、
前記遊具管理情報を前記遊具ごとにデータベースに記憶し、
前記データベースに記憶された遊具管理情報に基づいて作業指示情報を生成し、
その生成された作業指示情報を前記端末装置へ送信し、
前記端末装置において、
前記遊具管理装置から送信された作業指示情報を受信し、
その作業指示情報を出力する
ことを特徴とする遊具管理方法。
【発明の詳細な説明】
【技術分野】
【０００１】
本発明は、団地や、公園、公共施設などに設置された遊具（例えば、ブランコや滑り台）を管理するための遊具管理装置、遊具管理プログラムおよび遊具管理方法に関する。
【背景技術】
【０００２】
近年、少子化、都市化に伴い、子供の発育に対する「遊びの価値」が見直されつつある。子供は遊びを通じて自らの限界に挑戦し、これにより身体的、精神的、社会的な面などを成長させ、自らの創造性や主体性を向上させていくものと考えられている。
【０００３】
子供らの遊びには欠かせないブランコや滑り台などの遊具は、団地や、公園、公共施設などに設置されているが、このような場所への遊具の設置は、主に、地方自治体および所轄官庁や、これらから委託された企業およびＮＰＯなどによって行われており、設置された遊具の管理もこれらの者によって行われている。ここで、遊具の管理とは、一般に固定資産としての管理を指しており、固定資産の管理に必要な情報は、これらの者により管理されている書類やパソコンなどに保管されているのが一般的である（特許文献１）。
【０００４】
【特許文献１】特開２００５−２０２５０１号公報
【発明の開示】
【発明が解決しようとする課題】
【０００５】
ところで、遊具は、日本工業規格などの諸規格に沿った材料および加工がなされているが、恒常的に屋外に設置されているため、設置してから間もないものであっても、強度不足の虞のある不良個所を有する遊具が多数見受けられる。しかし、遊具を管理する者は、遊具を固定資産としてしか考えておらず、上記のような実態を正確には把握していないため、補修等の必要な遊具が何らの手当てもなされずに放置されている。その結果、遊具による事故が頻繁に起こっており、地域の住民はそのような事故が発生して初めて、そのような実態を知ることとなる。
【０００６】
実際、神奈川県内だけでも緊急点検の必要がある遊具を設置している箇所が６６００を超えていると言われており、日頃行われる遊具の点検方法や点検結果を踏まえたメンテナンスなど、遊具設置後の一貫した管理体制を確立することが急務となっている。
【０００７】
本発明はかかる問題点に鑑みてなされたもので、その目的は、遊具設置後の一貫した管理体制を確立することの可能な遊具管理装置、遊具管理プログラムおよび遊具管理方法を提供することにある。
【課題を解決するための手段】
【０００８】
本発明の遊具管理装置は、記憶媒体の付された各種遊具に関する遊具管理情報を遊具ごとに記憶するデータベースと、データベースに記憶された遊具管理情報に基づいて作業指示情報を生成する作業指示情報生成手段と、作業指示情報生成手段が生成した作業指示情報を、記憶媒体へのアクセスが可能な端末装置へ送信する送信手段とを備えたものである。
【０００９】
本発明の遊具管理プログラムは、記憶媒体の付された各種遊具に関する遊具管理情報を遊具ごとにデータベースに記憶させるステップと、データベースに記憶された遊具管理情報に基づいて作業指示情報を生成するステップと、その生成された作業指示情報を、記憶媒体へのアクセスが可能な端末装置へ送信するステップとをコンピュータに実行させるようにしたものである。
【００１０】
本発明の遊具管理方法は、記憶媒体の付された各種遊具に関する遊具管理情報を格納するためのデータベースを有する遊具管理装置と、各種遊具にそれぞれ付された記憶媒体へのアクセスが可能な端末装置とを用意し、遊具管理装置から端末装置に作業指示情報を送信するように構成したものである。遊具管理装置の側では、遊具管理情報を遊具ごとにデータベースに記憶し、データベースに記憶された遊具管理情報に基づいて作業指示情報を生成すると共に、その生成された作業指示情報を端末装置へ送信する。一方、端末装置の側では、遊具管理装置から送信された作業指示情報を受信し、その受信した作業指示情報を出力する。
【００１１】
ここで、「遊具」とは、屋外に設置されているブランコや滑り台などの構造物のことであり、例えば、団地や、公園、公共施設などに設置された、人による管理の必要な構造物を指している。「記憶媒体」とは、例えば、電子タグや、２次元コードなどの、遊具に付することの可能な小さな記録媒体のことである。「電子タグ」は、ＲＦＩＤ（Radio Frequency Identification）タグや、ＩＣ（Integrated Circuit）タグなどの総称であり、「２次元コード」は、文字や数字などのデータを二次元の図形パターンとして所定の表面に刻印・印刷した暗号である。「端末装置」とは、例えば、各種遊具を診断する業者（遊具診断業者）の保有する情報処理装置のことである。「遊具管理情報」とは、各種遊具の特徴を特定することの可能な情報であり、例えば、識別子と、遊具の種類、設置場所、設置日、診断日、診断項目および診断結果を示す情報とを含むものである。「診断結果」とは、各種遊具の状態を特定することの可能な情報であり、例えば、目視、触診、聴診などによって得られた情報や、振動による非破壊検査によって得られた情報を含むものである。また、「作業指示情報」とは、例えば、遊具の種類、設置場所、設置日および診断結果を示す情報に基づいて生成されるものであり、例えば、目視、触診、聴診などによる確認作業などの主観的な作業に関する情報の他に、振動による非破壊検査などの客観的かつ定量客観的な作業に関する情報を含むものである。
【００１２】
本発明の遊具管理装置、遊具管理プログラムおよび遊具管理方法では、各種遊具の遊具管理情報の管理が遊具管理装置のデータベースを用いて行われる。具体的には、データベースに記憶された遊具管理情報に基づいて作業指示情報が生成され、その生成された作業指示情報が端末装置へ送信される。
【００１３】
例えば、遊具管理装置では、遊具の種類、設置場所、設置日および診断結果を示す情報に基づいて個々の遊具に対して行うべき作業内容が決定され、その決定された作業内容は作業指示情報として端末装置へ送信され、端末装置に出力される。遊具診断業者は、例えば、この出力された作業指示情報を基に個々の遊具の手入れや診断などを行う。このように、遊具診断業者は、遊具管理装置からの作業指示情報に基づいて作業を行う。
【発明の効果】
【００１４】
本発明の遊具管理装置、遊具管理プログラムおよび遊具管理方法によれば、各種遊具の遊具管理情報の管理を遊具管理装置のデータベースを用いて行うようにしたので、遊具診断業者は遊具管理情報から送信されてきた作業指示情報に基づいて作業を行うことができる。これにより、遊具の管理を日常的に適切に行うことが可能となるので、例えば、地面と接している部分が腐食していたり、シロアリなどによる虫食いにより内部に空洞ができていて、そのうち破断する虞のある遊具など、遊具で遊ぶ子供らに危険を及ぼす虞のある遊具を、事故が発生するまで何もせずにそのまま放置することをなくすることが可能となる。その結果、遊具で遊ぶ子供らの安心・安全を確保することが可能となるだけでなく、遊具設置後の一貫した管理体制を確立することができる。
【発明を実施するための最良の形態】
【００１５】
以下、本発明の実施の形態について、図面を参照して詳細に説明する。
【００１６】
図１は、本発明の一実施の形態に係る遊具管理方法が適用される遊具管理システムを表したものである。この遊具管理システムは、遊具５（図５参照）を管理するシステムであり、遊具管理業者Ａによって使用される遊具管理装置１と、遊具診断業者Ｂによって使用される遊具診断システム１００とを含む情報ネットワークシステムとして構築されたものである。
【００１７】
遊具管理業者Ａは、遊具５の手入れから診断、補修までの業務を、遊具管理装置１を用いて一元的に管理する管理者のことである。遊具診断業者Ｂは、遊具管理業者Ａ（遊具管理装置１）からの指示に基づいて、遊具５を健全に保つために通常行われる定型作業などを行う業者のことである。
【００１８】
図２は、図１の遊具管理装置１の機能構成を表したものである。この遊具管理装置１は、制御部１０と、記憶部１１と、通信部１２と、表示部１３と、入力部１４とを備えている。制御部１０は、記憶部１１、通信部１２、表示部１３および入力部１４とそれぞれ接続されている。なお、制御部１１は本発明の「作業指示情報生成手段」あるいは「危険判定手段」の一具体例に対応し、通信部１２は本発明の「送信手段」あるいは「受信手段」の一具体例に対応する。
【００１９】
制御部１０は、プログラムの命令を解釈し、実行するためのもので、例えば、ＣＰＵ（Central Processing Unit ）を含んで構成されている。記憶部１１には、遊具管理プログラム１１Ａと、遊具データベース１１Ｂとが記憶されている。
【００２０】
遊具管理プログラム１１Ａは、遊具５を管理するための一連の手順を制御部１０に実行させるためのものであり、遊具データベース１１Ｂは、個々の遊具５に関する遊具管理情報８０を整理、統合し、検索しやすくしたファイルである。この遊具管理情報８０は、例えば、図３（Ａ）に示したように、各種遊具５の特徴を特定することの可能な情報、具体的には、識別子８１、管理者８２、遊具の種類８３、設置場所８４、設置日８５および診断情報８６を含んでいる。
【００２１】
ここで、識別子８１は、個々の遊具５を識別するためのものであり、数字、文字、記号等の少なくとも１つまたはそれらを組み合わせた固有符号である。管理者８２は、その遊具５を管理する者を特定するためのものであり、例えば、その遊具５を管理する者の識別番号や、氏名などを含んで構成されている。なお、管理者８２には、実際に遊具５を管理している者の他、遊具５の所有者なども含まれる。遊具の種類８３とは、ブランコや滑り台などの構造物の種類のことであり、特に、屋外に設置されている構造物を対象としている。設置場所８４とは、遊具５が設置されている場所を特定するためのものであり、例えば、識別番号や、所在地（○○県○○市○○町○○団地○○号棟前など）などを含んで構成されている。設置日８５とは、遊具５が設置された日を指しており、例えば、平成○○年○月○日などを含んで構成されている。診断情報８６とは、各種遊具５の状態を特定することの可能な情報、例えば、遊具５の状態を検査、診断した診断日８６Ａや、診断項目８６Ｂ、目視、触診、聴診などによって得られた主観情報８６Ｃ、非破壊検査によって得られた客観情報８６Ｄ、客観情報８６Ｄなどに基づいて得られた遊具５の診断結果８６Ｄを含むものである。診断結果８６Ｄとは、例えば、遊具５の特定部位の交換の必要性について診断した結果などを含むものである。
【００２２】
通信部１２は、通信網を介して端末装置４と相互に通信可能となっており、例えば、遊具管理装置１において生成された作業指示情報９０（後述）を端末装置４の通信部４３（後述）へ送信すると共に、端末装置４において読出部４６（後述）から読み出された識別子２１および入力部１４から入力された報告情報を受信するようになっている。
【００２３】
ここで、上記した作業指示情報９０は、遊具データベース１１Ｂに記憶されている遊具の種類８３、設置場所８４および診断情報８６に基づいて生成される情報であり、図３（Ｂ）に示したように、例えば、通常作業指示情報９１および特別作業指示情報９２を含んでいる。通常作業指示情報９１とは、遊具５を健全に保つために通常行われる定型作業に関する情報、例えば、目視、触診、聴診などによる確認作業などの主観的な作業に関する情報の他に、振動による非破壊検査などの客観的かつ定量客観的な作業に関する情報のことである。特別作業指示情報９２とは、遊具５に不良が発見された際に行われる定型作業に関する情報、例えば、腐食防止剤の塗布や、補強部材の設置、遊具５の使用を不能にする部材の設置などの作業に関する情報のことである。これらの作業手順などについては後述する。
【００２４】
図４は、図１の遊具診断システム１００の概略構成を表したものである。この遊具診断システム１００は、振動発生装置２、振動検知装置３および端末装置４（遊具診断装置）を備えている。
【００２５】
振動発生装置２は、通信部２１、振動制御部２２および振動発生部２３を有している。
【００２６】
ここで、通信部２１は、遊具診断装置４からの振動発生信号（後述）を受信するためのものであり、例えば、アンテナおよび通信用ＩＣなどを含んでいる。
【００２７】
振動制御部２２は、受信した振動発生信号に対応した振動条件で振動発生部２３を振動させる制御を行うためのものであり、例えば、制御用ＩＣなどを含んでいる。この振動制御部２２は、例えば、振動発生部１２の振動周波数を所定の周波数帯内で連続的にまたは飛び飛びに変化させる制御を行うようになっている。
【００２８】
振動発生部２３は、振動源および固定部を含んで構成されている。この振動源は、振動制御部２２からの制御信号に応じて所定の周波数帯内の任意の振動周波数で振動することが可能となっており、少なくとも振動発生装置２の取付面（被診断対象と固定部とが互いに接する面）と交差する方向に振動し、被診断対象に振動源の振動を与えることができるようになっている。このような振動源として、例えば、数１００Ｈｚから数１０ｋＨｚまで振動可能なモータが挙げられる。また、固定部は、振動源の振動を最小限のロスで被診断対象に伝達すると共に振動源を被診断対象に固定するためのものであり、振動発生装置２の取付面を被診断対象と密着させることの可能な材料、例えば、両面テープや、（被診断対象が金属の場合には）マグネットなどからなる。
【００２９】
振動検知装置３は、通信部３１、信号処理部３２および振動検知部３３を有している。
【００３０】
ここで、通信部３１は、遊具診断装置４へ電気信号（後述）を送信するためのものであり、例えば、アンテナおよび通信用ＩＣなどを含んでいる。
【００３１】
信号処理部３２は、電気信号に対して所定の信号処理を施すためのものであり、例えば、信号処理用ＩＣなどを含んでいる。
【００３２】
振動検知部３３は、振動検知素子および固定部を含んで構成されている。この振動検知素子は、振動発生装置２が被診断対象に与えた振動のうち振動検知部３３にまで伝播してきた振動を検知するためのものであり、少なくとも振動検知装置３の取付面（被診断対象と固定部とが互いに接する面）と交差する方向の振動を検知することができるようになっている。振動検知素子は、例えば、圧電型の加速度センサ、心音センサ、コンデンサマイクロフォンからなり、振動検知部３３にまで伝播してきた振動を、振動の伝播方向や大きさに応じた電気信号に変換するようになっている。また、固定部は、被診断対象の振動を最小限のロスで振動検知素子に伝達すると共に振動検知素子を被診断対象に固定するためのものであり、振動検知装置３の取付面を被診断対象と密着させることの可能な材料、例えば、両面テープや、（被診断対象が金属の場合には）マグネットなどからなる。
【００３３】
遊具診断装置４は、制御部４１、記憶部４２、通信部４３、表示部４４、入力部４５、読出部４６および書込部４７を有している。なお、読出部４６および書込部４７については、図示のように端末装置４本体に有線接続するのではなく、端末装置４本体とは別体のハンディータイプのリーダライタユニットとして構成すると共に、このリーダライタユニットと端末装置４本体との間を無線通信路により接続するようにしてもよい。
【００３４】
ここで、制御部４１は、プログラムの命令を解釈し、実行するためのもので、例えば、ＣＰＵを含んで構成されている。
【００３５】
記憶部４２には、端末プログラム４２Ａ、遊具診断プログラム４２Ｂおよび基準データ４２Ｃが記憶されている。端末プログラム４２Ａは、遊具５に付された電子タグ５Ａ（図１参照）へのデータアクセスや遊具管理装置１との間の通信を行うための一連の手順を制御部４１に実行させるためのものである。なお、これらの一連の手順の詳細については後述する。また、遊具診断プログラム４２Ｂは、遊具診断のための一連の手順を制御部４１に実行させるためのものである。なお、この一連の手順の詳細についても後述する。基準データ４２Ｃは、所定の安全基準を満たす遊具の部材（例えば、柱）から得られた計測データ（レファレンスデータ）と、遊具の部材の交換の要否の判断に用いる閾値データとを含んでいる。この計測データには、遊具の種類（例えば、滑り台、ブランコ）、遊具の材料（例えば、木材、金属、樹脂、コンクリート）、遊具の部位（例えば、柱、梁）ごとのデータが含まれている。閾値データについても、遊具の種類、材料、部位ごとのデータが含まれている。
【００３６】
上記した電子タグ５Ａは、情報を自由に読み書きすることが可能なメモリＩＣ（図示せず）と、無線アンテナ（図示せず）とを含んで構成された微小なチップであり、端末装置４の読出部４６および書込部４７との間で所定の周波数の電磁波を利用した通信を行うことにより、メモリＩＣ内の情報を読み出したり、メモリＩＣ内に情報を書き込んだりすることができるようになっている。遊具５に付された個々の電子タグ５Ａには、上記した遊具管理情報８０が記憶されている。
【００３７】
電子タグ５Ａは、設置のし易さや設置後のいたずら防止を考慮すると、立っている大人の目線よりも高い箇所、例えば、地表からの高さが２ｍぐらいの箇所に設けられていることが好ましい。なお、この電子タグ５Ａは、入力された情報を先に記録されている情報に追加して記録すると共に、一度書き込んだ情報を削除することができない機構を有していることが好ましい。これにより、電子タグ５Ａに記録された情報が誤って消去されたり、改ざんされる虞がなくなる。
【００３８】
このように、一旦取り付けられた電子タグ５Ａが遊具５から外されたり、遊具５に記録された情報が改ざんされることのないようにすることにより、トレーサビリティに係る情報の信頼性を確保することが可能となる。
【００３９】
通信部４３は、通信網を介して遊具管理装置１と相互に通信可能となっており、例えば、端末装置４において読出部４６（後述）から読み出された識別子２１および入力部１４から入力された報告情報を遊具管理装置１の通信部１２へ送信すると共に、遊具管理装置１において生成された作業指示情報９０を受信するようになっている。また、この通信部４４は、振動発生装置２および振動検知装置３とも相互に通信可能となっており、振動発生装置２に振動発生信号を送信したり、振動検知装置３からの電気信号を受信したりすることが可能となっている。
【００４０】
表示部４４は、例えば、制御部４１におけるプログラムの実行結果（例えば、診断結果）を表示したり、制御部４１におけるプログラムの実行に際して情報入力を支援するための表示をするためのものであり、例えば、液晶ディスプレイからなる。
【００４１】
入力部４５は、制御部４１におけるプログラムの実行に際して情報を入力するためのものであり、例えば、キーボードやマウスからなる。
【００４２】
図５は、図４の遊具診断システム１００を、被管理対象であると共に被診断対象でもある遊具５の診断に用いた際の様子を模式的に表したものである。図６は、図５の破線で囲まれた部分を拡大して表したものである。
【００４３】
図５、図６では、振動発生装置２および振動検知装置３は、取り扱いの容易性および計測の安定性を確保するなどの目的で、帯状の固定ベルト６に取り付けられており、固定ベルト６と共に診断ベルト７を構成している。ここで、固定ベルト６は、振動発生装置２および振動検知装置３を被診断対象である固定柱５１（後述）に密着固定した際に、振動発生装置２および振動検知装置３が固定柱５１を間にして互いに対向するように調整可能な構造となっている。
【００４４】
被診断対象である遊具５は、図５に示したように、所定の部材で構成された椅子５０と、遊具５を地面に固定する複数の固定柱５１と、椅子５０を中空に支持する梁５２と、固定柱５１および梁５２のぐらつきを防止する小梁５３，５４と、固定柱５１、梁５２および小梁５３，５４を連結する留め具５５と、椅子５０を揺動可能に梁５２と連結する鎖５６とを備えた木製のブランコである。
【００４５】
この遊具５では、固定柱５１の両端部（上端部５１Ａおよび下端部５１Ｃ）や、梁５２および小梁５３，５４の両端部が外部に露出しており、さらに、固定柱５１の下端５１Ｃは地面と接している。また、留め具５５が固定柱５１、梁５２および小梁５３，５４に打ち込まれており、椅子５０を揺動可能に支持する鎖５６を固定する部材（図示せず）が梁５２に打ち込まれている。
【００４６】
ここで、固定柱５１、梁５２および小梁５３，５４の両端部や、これらに留め具５５や固定部材が打ち込まれている箇所は、通常、外部環境の影響を受けて劣化し易く、長年の使用により、これらの箇所には、遊具５の強度を低下させる不良（ひび、割れ、腐敗など）が生じ易い。特に、固定柱５１の下端部５１Ｃは地面と接しているので、遊具５の中で最も不良の生じやすい部位と言える。また、図７に例示したように、例えば、固定柱５１には、一般的に節５１Ｄが存在しており、節５１Ｄの周囲５１Ｅには水が溜まりやすく、節５１Ｄの周囲５１Ｅが腐り易い。また、図示しないが、シロアリなどによる虫食いによって遊具５１のいたるところに空洞が生じている可能性がある。
【００４７】
このように、遊具５には、遊具５の強度を低下させる様々な不良が様々な部位に生じる可能性があり、遊具５の日常的な点検、診断において、目視、触診、聴診などで確認する主観的な手法を用いるだけでは、遊具５による事故が起こる前に遊具５の危険性を的確に把握することは極めて困難であると言える。そこで、遊具５に少しでも危険の兆候が見られたら、すぐに遊具５の使用を中止したり、撤去したりするという手法も考えられる。しかし、そのようにした場合には、実際には、遊具５による事故が発生する可能性が全くないか、ほとんどないにも拘わらず、遊具５の使用中止や撤去を行ってしまっている可能性が高く、極めて不経済である。また、遊具５の部材を分解したり削ったりし、腐食割れの深さや強度などを高度な精密機器を用いて詳細に検査することも考えられる。しかし、そのようにした場合には、検査の度に、遊具５の部材を分解したり削ったりするので、検査によって遊具５に不良の原因を与えてしまう虞があるだけでなく、コストや手間がかかり過ぎて、日常的に検査を行うことができないという問題がある。また、検査の度に遊具５が長期間使えなくなり、遊具５としての役割を十分に果たすことができなくなる虞がある。
【００４８】
一方、本実施の形態の遊具診断システム１００では、これらの問題を一挙に解決することが可能であり、有用性の極めて高いものであると言える。以下、この遊具診断システム１００の動作について説明する。
【００４９】
図８は、本実施の形態の遊具診断システム１００おける遊具診断の手順を表したものである。この図では、遊具診断システム１００を用いる遊具診断業者Ｂ、遊具診断装置４、振動発生装置２および振動検知装置３の相互間のやり取りをわかりやすくするために、遊具診断業者Ｂ、遊具診断装置４、振動発生装置２および振動検知装置３ごとに流れを示した。
【００５０】
遊具診断を行うにあたって、まず、遊具診断業者Ｂが診断ベルト７を遊具５に設置する（ステップＳ１０１）。例えば、図２に示したように、固定柱５１の上端部５１Ａ、中央部５１Ｂ、下端部５１Ｃに診断ベルト７を巻き付ける。このとき、振動発生装置２と振動検知装置３が固定柱５１にしっかりと密着するように診断ベルト７を巻き付ける。
【００５１】
次に、遊具診断業者Ｂが遊具診断プログラム４２Ａの起動を遊具診断装置４に要求する（ステップＳ１０１）。例えば、表示部４４に表示されているアイコンをマウスでクリックする。すると、遊具診断プログラム４２Ａが起動され（ステップＳ１０３）、遊具５の情報入力が要求される（ステップＳ１０４）。例えば、表示部４４に入力フォームが表示される。
【００５２】
次に、遊具診断業者Ｂは遊具５の情報（例えば、遊具５の種類、材料、診断ベルト７の設置部位など）を入力し、診断実行を要求する（ステップＳ１０５）。例えば、マウスやキーボードを用いて表示部４４に表示された入力フォーム内の各項目（例えば、遊具５の種類、材料、診断ベルト７の設置部位など）を埋めたのち、診断実行ボタンをマウスでクリックする。
【００５３】
すると、遊具診断装置４において、遊具５の入力情報に基づいて振動発生装置２の振動条件が決定され、その条件に対応する振動発生信号が出力される（ステップＳ１０６）。例えば、遊具５の種類としてブランコを、材料としてひのきを、診断ベルト７の設置部位として固定柱５１の上端部５１Ａ、中央部５１Ｂ、下端部５１Ｃが入力された場合には、１５００Ｈｚを中心とする所定の周波数帯内を連続的に掃印する動作を、上端部５１Ａ、中央部５１Ｂ、下端部５１Ｃの順に順次実行することを要求する振動発生信号が生成され、その振動発生信号が振動発生装置２に送信される。
【００５４】
遊具診断装置４から送信された振動発生信号は振動発生装置２で受信され、その受信された振動発生信号に対応した振動条件で振動発信部２１が振動させられる（ステップＳ１０７）。例えば、１５００Ｈｚを中心とする所定の周波数帯内を連続的に変化する振動が、上端部５１Ａ、中央部５１Ｂ、下端部５１Ｃの順に発生する。
【００５５】
この振動発信部２１での振動は、固定柱５１の内部を伝播し、固定柱５１の上端部５１Ａ、中央部５１Ｂ、下端部５１Ｃに設置されたそれぞれの振動検知部３３において検知され、振動検知部３３の配置された部位における振動の向きや大きさに応じた電気信号が振動検知装置３から出力される（ステップＳ１０８）。
【００５６】
このとき、固定柱５１の内部の伝播経路中に、遊具５の強度を低下させる不良が存在する場合には、そのような不良が無い場合とは異なる周波数分布の振動が振動検知部３３において検知される。また、振動検知部３３から電気信号に対して信号処理部３２によって何らかの信号処理がなされたものが振動検知装置３から出力されてもよい。
【００５７】
振動検知装置３から送信された電気信号は遊具診断装置４で受信され、その受信された電気信号に対して周波数分析（例えば、ウェーブレット変換）が行われ、計測データが導出される（ステップＳ１０９）。その後、得られた計測データと、あらかじめ用意された基準データ４２Ｂとが対比され、固定柱５１の状態が診断され、その診断結果が表示部４４に出力される（ステップＳ１１０）。
【００５８】
例えば、下端部５１Ｃの振動発信部２１を振動させたときに下端部５１Ｃの振動検知部３３で得られた電気信号に対して周波数分析をかけたときに得られた計測データが基準データから大きくずれている一方で、他の計測データが基準データとほぼ一致していた場合に、そのずれ量が所定の閾値を超えていなかったときには、固定柱５１の下端部５１Ｃに何らかの不良が発生しているものの、固定柱５１を交換するほどの不良ではないと遊具診断装置４によって判断され、固定柱５１の下端部５１Ｃに何らかの不良が発生しているが、固定柱５１の交換は今のところ不要との診断結果が表示部４４に表示される。その逆に、そのずれ量が所定の閾値を超えていたときには、固定柱５１の下端部５１Ｃに重大な不良が発生しており、固定柱５１を交換する必要があると遊具診断装置４によって判断され、固定柱５１の下端部５１Ｃに生じた重大な不良により固定柱５１の交換が必要との診断結果が表示部４４に表示される。
【００５９】
また、例えば、下端部５１Ｃの振動発信部２１を振動させたときに下端部５１Ｃの振動検知部３３で得られた電気信号に対して周波数分析をかけたときに得られた計測データが基準データから大きくずれている一方で、他の計測データが基準データとほぼ一致していた場合に、計測データを基準データで規格化し、規格化した後の計測データが所定の閾値を超えていなかったときには、固定柱５１の下端部５１Ｃに何らかの不良が発生しているものの、固定柱５１を交換するほどの不良ではないと遊具診断装置４によって判断され、固定柱５１の下端部５１Ｃに何らかの不良が発生しているが、固定柱５１の交換は今のところ不要との診断結果が表示部４４に表示される。その逆に、規格化した後の計測データが所定の閾値を超えていたときには、固定柱５１の下端部５１Ｃに重大な不良が発生しており、固定柱５１を交換する必要があると遊具診断装置４によって判断され、固定柱５１の下端部５１Ｃに生じた重大な不良により固定柱５１の交換が必要との診断結果が表示部４４に表示される。
【００６０】
このように、遊具診断システム１００では、振動検知装置３から出力される、遊具５の所定の部位（固定柱５１）の振動に応じた電気信号に対して周波数分析を行い、これにより得られた計測データと、あらかじめ用意された基準データ４２Ｂとを対比して遊具５の所定の部位（固定柱５１）の状態が診断される。つまり、本実施の形態では、遊具５の部材を分解したり削る必要がなく、高度な精密機器を用いる必要もない。また、主観的な判断を必要とせず、だれでも簡単に検査を行うことができる。これにより、定量的かつ客観的に遊具の日常的な安全評価をすることができる。
【００６１】
続いて、図９ないし図１２を参照して、本実施の形態の遊具管理装置１および端末装置４の動作について説明する。なお、説明の便宜上、（Ａ）遊具５を固定資産として登録する手順、（Ｂ）遊具５を管理する手順に分けて説明する。ここで、図９ないし図１２は、遊具管理装置１または端末装置４における動作の流れを、遊具管理業者Ａ、遊具診断業者Ｂによる操作や処理と共に表したものである。
【００６２】
（Ａ：遊具５を固定資産として登録する手順、図９）
まず、遊具管理業者Ａが、遊具管理装置１における遊具管理プログラム１１Ａの起動と、端末装置４における端末プログラム４２Ａの起動とを要求する（ステップＳ２０１）。すると、遊具管理プログラム１１Ａが制御部１０によって立ち上げられると共に（ステップＳ２０２）、端末プログラム４２Ａが制御部４１によって立ち上げられる（ステップＳ２０３）。次に、端末装置４に対して遊具５の固定資産としての登録を要求する（ステップＳ２０４）。すると、端末装置４の制御部４１から遊具管理情報８０の入力を要求される（ステップＳ２０５）。なお、端末プログラム４２Ａの立ち上げ時以外の任意の時に、遊具管理業者Ａからの指示により遊具５の固定資産としての要求できるようにしてもよい。また、上記した一連の手続きを行うことのできる権限を、上記したように遊具管理業者Ａに与えてもよいし、遊具診断業者Ｂに与えてもよい。
【００６３】
次に、上記した一連の手続きを行うことのできる者（例えば、遊具管理業者Ａ）は、遊具５の所定の箇所に電子タグ５Ａを固定する。その後、その固定した電子タグ５Ａに書き込むべき遊具管理情報８０を入力部４５に入力すると共に、書込部４７をその電子タグ５Ａに近づけたのち、書込コマンドを入力する（ステップＳ２０６）。すると、入力部４５に入力した遊具管理情報８０は、書込部４７を介して電子タグ５Ａに書き込まれると共に、通信網を介して遊具管理装置１に送信される（ステップＳ２０７）。
【００６４】
その後、端末装置４から送信されてきた遊具管理情報８０は、遊具管理装置１の制御部１０によって、遊具５ごとにデータベース１１Ｂに記憶される（ステップＳ２０８）。
【００６５】
次に、遊具管理情報８０を通信網上にアップロードすることを要求する（ステップＳ２０９）。すると、遊具管理情報８０が遊具管理装置１によって通信網上にアップロードされる（ステップＳ２１０）。このようにして、遊具５が固定資産として登録される。このようにして、遊具５を管理するにあたっての準備が完了する。
【００６６】
（Ｂ：遊具５を管理する手順、図１０〜図１２）
遊具管理業者Ａが通信網上に公開された遊具５の遊具管理情報８０にアクセスする（ステップＳ３０１）。すると、遊具管理装置１によって、遊具管理業者Ａからの入力に応じて遊具管理業者Ａに遊具管理情報８０の提供が行われる（ステップＳ３０２）。
【００６７】
遊具管理業者Ａは、提供された情報をもとに定型作業を行う対象の遊具５を選択する（ステップＳ３０３）。すると、選択された遊具５の識別子８１が遊具管理装置１の制御部１０によって受け付けられる（ステップＳ３０４）。その後、データベース１１Ｂに記憶された遊具管理情報８０のうち、受け付けた識別子８１に対応する遊具５の遊具管理情報８０のうち遊具の種類８３、遊具の設置場所８４および診断情報８６に基づいて作業指示情報９０が生成される（ステップＳ３０５）。
【００６８】
この作業指示情報９０には、通常作業に関する手順が含まれており、必要に応じて特別作業に関する手順が含まれている。通常作業に関する内容としては、例えば、目視、触診、聴診などによる確認作業などの主観的な作業に関する情報の他に、振動による非破壊検査などの客観的かつ定量客観的な作業に関する情報などが含まれている。特別作業に関する内容としては、例えば、腐食防止剤の塗布や、補強部材の設置、遊具５の使用を不能にする部材の設置などの作業に関する情報などが含まれている。
【００６９】
次に、生成された作業指示情報９０は、遊具管理装置１の制御部１０によって、遊具診断業者Ｂの保有する端末装置４に送信されたのち（ステップＳ３０６）、遊具診断業者Ｂの保有する端末装置１Ｂによってそれぞれ受信されると共に、出力される（ステップＳ１７）。遊具診断業者Ｂは、出力された作業指示情報９０に基づいて作業を行う（ステップＳ３０８）。
【００７０】
遊具診断業者Ｂは、所定の作業を行ったのち、遊具５に固定された電子タグ５Ａに書込部４７を近づけて、入力部４５に登録要求コマンドを入力する（ステップＳ３０９）。すると、遊具診断業者Ｂの名称、作業内容および作業日時が電子タグ５Ａに書き込まれる（ステップＳ３１０）と共に、遊具管理装置１に送信される（ステップＳ３１１）。ここで、作業内容には、診断作業によって新たに得られた診断情報８６が含まれている。
【００７１】
その後、送信された遊具診断業者Ｂの名称、作業内容および作業日時が遊具管理装置１によって受信されると共に、データベース１１Ｂに記憶される（ステップＳ３１２）。
【００７２】
続いて、データベース１１Ｂにおいて更新された診断情報８６と、その診断情報８６に対応する遊具の種類８３および設置場所８４とに基づいて、その遊具５の危険度の高さが判定される（ステップＳ３１３）。ここで、危険度とは、例えば、節５１Ｄの周囲５１Ｅが腐っていたり、シロアリなどによる虫食いによって下端部５１Ｃに空洞が生じていることにより、遊具で遊ぶ子供らに危険を及ぼす虞がどの程度あるかを、被害規模や事故発生時期などに基づいて数段階に分類されたものである。つまり、診断情報８６と、その診断情報８６に対応する遊具の種類８３および設置場所８４とを、過去の経験則や学術データなどに照らし合わせて被害規模や事故発生時期などを予測し、その予測結果に基づいて、危険度の大きさが判定される。
【００７３】
この結果、危険度が高くないと判定されると、補修作業不要情報が生成され、それが作業指示情報９０として端末装置４に送信され、逆に、危険度が高いと判定されると、遊具５の診断情報８６に応じた補修作業指示情報が生成され、それが作業指示情報９０として端末装置４に送信される（ステップＳ３１４）。
【００７４】
その後、作業指示情報９０が端末装置４によって受信されると共に、出力される（ステップＳ３１５）。遊具診断業者Ｂは、出力された作業指示情報９０に基づいて作業を行う（ステップＳ３１６）。
【００７５】
遊具診断業者Ｂは、所定の作業を行ったのち、遊具５に固定された電子タグ５Ａに書込部４７を近づけて、入力部４５に登録要求コマンドを入力する（ステップＳ３１７）。すると、遊具診断業者Ｂの名称、作業内容および作業日時が電子タグ３に書き込まれる（ステップＳ３１８）と共に、遊具管理装置１に送信される（ステップＳ３１９）。ここで、作業内容には、補修作業の結果が含まれている。
【００７６】
その後、送信された遊具診断業者Ｂの名称、作業内容および作業日時が遊具管理装置１によって受信されると共に、データベース１１Ｂに記憶される（ステップＳ３２０）。このようにして、各種遊具５が管理される。
【００７７】
このように、本実施の形態の遊具管理システムによれば、各種遊具５の遊具管理情報８０の管理を遊具管理装置１のデータベース１１Ｂを用いて行うようにしたので、遊具診断業者Ｂは遊具管理情報１から送信されてきた作業指示情報９０に基づいて作業を行うことができる。これにより、熟練従事者でない者であっても遊具５の診断業務に容易に参加したり従事したりすることが可能となる。
【００７８】
また、遊具５の管理を適切に行うことが可能となるので、例えば、節５１Ｄの周囲５１Ｅが腐っていたり、シロアリなどによる虫食いによって下端部５１Ｃに空洞が生じていることにより、遊具で遊ぶ子供らに危険を及ぼす虞のある遊具を、事故が発生するまで何もせずにそのまま放置することをなくすることが可能となる。その結果、遊具で遊ぶ子供らの安心・安全を確保することが可能となるだけでなく、遊具設置後の一貫した管理体制を確立することができる。
【００７９】
特に、診断情報８６が更新される度に、遊具５の危険度を判定し、補修作業指示情報を作業指示情報９０として端末装置４に送信するようにした場合は、遊具で遊ぶ子供らに危険を及ぼす虞のある遊具の安全性の診断や、危険個所の補修を速やかに行うことが可能となるので、遊具で遊ぶ子供らに危険を及ぼす虞のある遊具を、事故が発生するまで何もせずにそのまま放置することをほぼ完全になくすることが可能となる。
【００８０】
その結果、遊具で遊ぶ子供らに危険が及ぶ虞がなくなり、地域の住民が不安な気持ちで生活を送ることもなくなるので、遊具で遊ぶ子供らの安心・安全を確保することが可能となる。
【００８１】
以上、上記実施の形態を挙げて本発明を説明したが、本発明はこれに限定されるものではなく、種々の変形が可能である。
【００８２】
例えば、上記実施の形態では、特定の遊具診断業者Ｂだけが端末装置４を保有していたが、地域の住民が読み出し専用に設定された端末装置４を常備するようにしてもよい。その場合は、地域の住民は、その地域に設置された遊具５が、いつ設置されたものなのか、どのような状態なのかなどをいつでも確認することが可能となる。これにより、地域の住民が遊具診断業者Ｂの活動状況や遊具５の安全性などを確かめることができる。また、地域の住民が読み出しだけでなく書き込みも可能に設定された端末装置４を常備するようにしてもよい。その場合は、地域の住民が遊具診断業者Ｂに代わって、地域の遊具５を管理することも可能となる。
【００８３】
これにより、遊具で遊ぶ子供らに危険を及ぼす虞のある遊具を、地域の住民が主体的に発見することができるので、遊具診断業者Ｂと合わせて２重チェックが可能となる。その結果、遊具で遊ぶ子供らに危険が及ぶ虞がより一層なくなり、地域の住民が不安な気持ちで生活を送ることもなくなるので、地域住民の安心・安全をより一層確保することが可能となる。
【００８４】
また、このように、地域の住民に管理の一部を任せることにより、管理に係る費用を削減することも可能となり、加えて、地域の住民との間で遊具５に対する理解を深めることも可能となる。これにより、遊具５に関する地域の住民とのトラブルをなくすることも可能となる。さらに、遊具５の管理を通して、地域のつながりが深まるので、そのような地域での犯罪が低減することも期待できる。
【００８５】
また、遊具５に付する記憶媒体を電子タグ５Ａの代わりに、２次元コードとしてもよい。ただし、一旦生成された２次元コードは情報を読み出すことができても、書き込むことができないので、以下に示すような手順で情報の管理を行うことが必要となる。
【００８６】
まず、２次元コードの付される遊具に関する遊具管理情報８０の保管場所を示す情報、例えば、遊具データベース１１ＢのＵＲＬ（Uniform Resource Locator）の文字列を変換して生成した２次元コードを遊具５に付しておく。次に、遊具管理情報８０を新規登録する場合や、更新する場合は、市販されている携帯電話を端末装置４として利用し、その携帯電話の２次元コード読み出し機能によって遊具５に付された２次元コードを解読すると共に解読したアドレスにアクセスし、例えば、アクセス先の遊具データベース１１Ｂに遊具管理情報８０の新規登録や更新を行う。また、遊具管理情報８０を確認したい場合は、上記と同様に、携帯電話の２次元コード読み出し機能によって遊具５に付された２次元コードを解読すると共に解読したアドレスにアクセスし、例えば、アクセス先の遊具データベース１１Ｂの遊具管理情報８０を読み出す。
【００８７】
これにより、上記実施の形態のような本システム専用の端末装置４を用意する必要がなくなるので、遊具管理システムの構築に要する費用や時間を大幅に削減することができる。また、携帯電話を端末装置４として利用することのできる手軽さから、地域の住民は、遊具管理業者１の活動状況や遊具５の安全性などをより一層容易に確かめることができ、また、遊具診断業者Ｂに代わって、地域の遊具５をより一層容易に管理することができる。その結果、遊具で遊ぶ子供らに危険が及ぶ虞がなくなり、地域の住民が不安な気持ちで生活を送ることもなくなるので、地域住民の安心・安全を確保することが可能となる。
【００８８】
また、遊具５に付する記憶媒体として電子タグ５Ａと２次元コードとを併設してもよい。これにより、予算や導入期間の都合などで上記実施の形態のような本システム専用の端末装置４を導入することの困難な遊具診断業者Ｂは、携帯電話を利用したシステムを選択することにより、低予算かつ短期間で本システムを導入することができる。このように、電子タグ５Ａと２次元コードとを併設して本システムに柔軟性を持たせることにより、どのような遊具診断業者Ｂであっても本システムに容易に参加することができる。
【図面の簡単な説明】
【００８９】
【図１】本発明の一実施の形態に係る遊具管理方法が適用される遊具管理システムの全体構成図である。
【図２】図１における遊具管理装置の概略構成図である。
【図３】図１の遊具データベースに含まれる遊具管理情報および作業支持情報について説明するための模式図である。
【図４】図１における遊具診断システムの全体構成図である。
【図５】図４における遊具診断システムを遊具に適用したときの様子を表す外観図である。
【図６】図５の破線で囲まれた部分の拡大図である。
【図７】図５の固定柱について説明するための概念図である。
【図８】図４の遊具診断システムの動作について説明するための流れ図である。
【図９】遊具管理システムの動作を説明するための流れ図である。
【図１０】図９に続く動作を説明するための流れ図である。
【図１１】図１０に続く動作を説明するための流れ図である。
【図１２】図１１に続く動作を説明するための流れ図である。
【符号の説明】
【００９０】
１…遊具管理装置、２…振動発生装置、３…振動検知装置、４…遊具診断装置、５…遊具、５Ａ…電子タグ、６…固定ベルト、７…診断ベルト、１０，４１…制御部、１１…記憶部、１１Ａ…遊具管理プログラム、１１Ｂ…遊具データベース、１２…通信部、１３…表示部、１４…入力部、２１，３１，４３…通信部、２２…振動制御部、２３…振動発生部、３２…信号処理部、３３…振動検知部、４２…記憶部、４２Ａ…端末プログラム、４２Ｂ…遊具診断プログラム、４２Ｃ…基準データ、４４…表示部、４５…入力部、４６…読出部、４７…書込部、５０…椅子、５１…固定柱、５１Ａ…上端部、５１Ｂ…中央部、５１Ｃ…下端部、５１Ｄ…節、５１Ｄ…節の周囲、５２…梁、５３，５４…子梁、５５…留め具、５５Ａ…頭部、５５Ｂ…軸部、５５Ｃ…頂面、８０…遊具管理情報、８１…識別子、８２…管理者、８３…種類、８４…設置場所、８５…設置日、８６…診断情報、８６Ａ…診断日、８６Ｂ…主観情報、８６Ｃ…客観情報、８６Ｄ…診断結果、９０…作業支持情報、９１…通常作業支持情報、９２…特別作業支持情報、１００…遊具診断システム、Ａ…遊具管理業者、Ｂ…遊具診断業者。
【図１】
2009116571.tif 000003
【図２】
2009116571.tif 000004
【図３】
2009116571.tif 000005
【図４】
2009116571.tif 000006
【図５】
2009116571.tif 000007
【図６】
2009116571.tif 000008
【図７】
2009116571.tif 000009
【図８】
2009116571.tif 000010
【図９】
2009116571.tif 000011
【図１０】
2009116571.tif 000012
【図１１】
2009116571.tif 000013
【図１２】
2009116571.tif 000014